(57)【要約】【課題】表示する画像の色温度を変更するための出力画像データを正確に算出し、色温度を変更後の画像の階調表現が変化しにくい画像処理装置等を提供する。【解決手段】表示装置の色調整を行うための色信号を出力したときに表示される画像の色データを取得する色データ取得部２１３と、表示装置で使用する色温度の情報を取得する色温度情報取得部２１４と、色信号と色データとの第１の対応関係を求める第１の対応関係導出部２１５と、第１の対応関係からこの色温度で表示装置にて画像を表示したときに採る補正色信号にする補正色信号導出部２１６と、補正色信号を色信号を構成する色空間とは異なる色空間中における補正色値にする色値変換部２１８と、補正色値からこの色温度で表示装置にて表示する画像の色の色変換テーブルを作成する変換関係作成部２１９と、を備える画像処理装置。【選択図】図４
2014150400.tif 000002
【特許請求の範囲】
【請求項１】
表示装置の色調整を行うために使用する色信号を取得する色信号取得部と、
前記表示装置に向けて前記色信号を出力したときに、当該表示装置で表示される画像の色情報を取得する色情報取得部と、
前記表示装置で画像の表示に使用する色温度の情報を取得する色温度情報取得部と、
前記色信号取得部により取得された前記色信号と前記色情報取得部により取得された前記色情報との対応関係である第１の対応関係を求める第１の対応関係導出部と、
前記第１の対応関係導出部により求められた前記第１の対応関係から、前記色温度情報取得部により取得された前記色温度で前記表示装置にて画像を表示したときに採る色信号である補正色信号を求める補正色信号導出部と、
前記補正色信号導出部により求められた前記補正色信号を前記色信号を構成する色空間とは異なる色空間中における色値に変換し補正色値を求める色値変換部と、
前記色値変換部により求められた前記補正色値に基づき、前記色温度で前記表示装置にて表示する画像の色の変換関係を作成する変換関係作成部と、
を備えることを特徴とする画像処理装置。
【請求項２】
前記変換関係作成部は、前記補正色値に加え前記補正色信号導出部により求められた前記補正色信号に基づき、前記変換関係を作成することを特徴とする請求項１に記載の画像処理装置。
【請求項３】
前記色信号と当該色信号を構成する色空間とは異なる色空間中における色値とを対応付ける対応関係である第２の対応関係を求める第２の対応関係導出部を更に備え、
前記色値変換部は、前記第２の対応関係導出部により求められた前記第２の対応関係から、前記補正色信号を前記色信号を構成する色空間とは異なる色空間中における色値に変換し補正色値を求めることを特徴とする請求項１または２に記載の画像処理装置。
【請求項４】
前記補正色信号導出部は、前記色温度における色情報を設定し、設定された色情報を前記第１の対応関係により当該色温度における色信号に変換し、変換された色信号を最大値とするように前記色を調整するために使用する色信号を変換することで前記補正色信号を求めることを特徴とする請求項１乃至３の何れか１項に記載の画像処理装置。
【請求項５】
前記色信号は、赤色信号、緑色信号および青色信号から構成されることを特徴とする請求項１乃至４の何れか１項に記載の画像処理装置。
【請求項６】
表示装置の色調整を行うために使用する色信号を取得する色信号取得部と、
前記表示装置に向けて前記色信号を出力したときに、当該表示装置で表示される画像の色情報を取得する色情報取得部と、
前記表示装置で画像の表示に使用する色温度の情報を取得する色温度情報取得部と、
前記色信号取得部により取得された前記色信号と前記色情報取得部により取得された前記色情報との対応関係である第１の対応関係を求める第１の対応関係導出部と、
前記色温度における色情報を設定し、設定された色情報を前記第１の対応関係により当該色温度における色信号に変換する補正色信号導出部と、
前記補正色信号導出部により求められた前記色温度における色信号を基にして、前記色温度で前記表示装置にて表示する画像の色の変換関係を作成する変換関係作成部と、
を備えることを特徴とする画像処理装置。
【請求項７】
表示装置にて画像を表示するために作成された色信号を、予め定められた変換関係を用いて色変換処理を行い当該表示装置に出力する色変換手段と、
前記色変換手段で用いられる前記変換関係を、前記表示装置にて表示する画像の色調整を行うために作成する変換関係作成手段と、
を備え、
前記変換関係作成手段は、
前記表示装置の色調整を行うために使用する色信号を取得する色信号取得部と、
前記表示装置に向けて前記色信号を出力したときに、当該表示装置で表示される画像の色情報を取得する色情報取得部と、
前記表示装置で画像の表示に使用する色温度の情報を取得する色温度情報取得部と、
前記色信号取得部により取得された前記色信号と前記色情報取得部により取得された前記色情報との対応関係である第１の対応関係を求める第１の対応関係導出部と、
前記第１の対応関係導出部により求められた前記第１の対応関係から、前記色温度情報取得部により取得された前記色温度で前記表示装置にて画像を表示したときに採る色信号である補正色信号を求める補正色信号導出部と、
前記補正色信号を前記色信号を構成する色空間とは異なる色空間中における色値に変換し補正色値を求める色値変換部と、
前記色値変換部により求められた前記補正色値に基づき、前記色温度で前記表示装置にて表示する画像の色の変換関係を作成する変換関係作成部と、
を備えることを特徴とする色調整システム。
【請求項８】
前記変換関係作成手段の前記色信号取得部で取得される前記色信号は、前記色変換手段で使用される前記変換関係を定義するために使用されている色信号であることを特徴とする請求項７に記載の色調整システム。
【請求項９】
表示装置にて画像を表示するために作成された色信号を、予め定められた変換関係を用いて色変換処理を行い当該表示装置に出力する色変換手段と、
前記色変換手段で用いられる前記変換関係を、前記表示装置にて表示する画像の色調整を行うために作成する変換関係作成手段と、
を備え、
前記変換関係作成手段は、
表示装置の色調整を行うために使用する色信号を取得する色信号取得部と、
前記表示装置に向けて前記色信号を出力したときに、当該表示装置で表示される画像の色情報を取得する色情報取得部と、
前記表示装置で画像の表示に使用する色温度の情報を取得する色温度情報取得部と、
前記色信号取得部により取得された前記色信号と前記色情報取得部により取得された前記色情報との対応関係である第１の対応関係を求める第１の対応関係導出部と、
前記色温度における色情報を設定し、設定された色情報を前記第１の対応関係により当該色温度における色信号に変換する補正色信号導出部と、
前記補正色信号導出部により求められた前記色温度における色信号を基にして、前記色温度で前記表示装置にて表示する画像の色の変換関係を作成する変換関係作成部と、
を備えることを特徴とする色調整システム。
【請求項１０】
コンピュータに、
表示装置の色調整を行うために使用する色信号を取得する機能と、
前記表示装置に向けて前記色信号を出力したときに、当該表示装置で表示される画像の色情報を取得する機能と、
前記表示装置で画像の表示に使用する色温度の情報を取得する機能と、
取得された前記色信号と取得された前記色情報との対応関係である第１の対応関係を求める機能と、
求められた前記第１の対応関係から、取得された前記色温度で前記表示装置にて画像を表示したときに採る色信号である補正色信号を求める機能と、
前記補正色信号を前記色信号を構成する色空間とは異なる色空間中における色値に変換し補正色値を求める機能と、
求められた前記補正色値に基づき、前記色温度で前記表示装置にて表示する画像の色の変換関係を作成する機能と、
を実現させるプログラム。
【請求項１１】
コンピュータに、
表示装置の色調整を行うために使用する色信号を取得する機能と、
前記表示装置に向けて前記色信号を出力したときに、当該表示装置で表示される画像の色情報を取得する機能と、
前記表示装置で画像の表示に使用する色温度の情報を取得する機能と、
取得された前記色信号と取得された前記色情報との対応関係である第１の対応関係を求める機能と、
前記色温度における色情報を設定し、設定された色情報を前記第１の対応関係により当該色温度における色信号に変換する機能と、
求められた前記色温度における色信号を基にして、前記色温度で前記表示装置にて表示する画像の色の変換関係を作成する機能と、
を実現させるプログラム。
【発明の詳細な説明】
【技術分野】
【０００１】
本発明は、画像処理装置、色調整システム、プログラムに関する。
【背景技術】
【０００２】
特許文献１には、先ず、少なくとも１つの入力が最大値であり、かつ目標とする白色色度（ｘｗ、ｙｗ）となるディスプレイへの入力データ（ｒ、ｇ、ｂ）を、映像入力（Ｒ、Ｇ、Ｂ）が全て最大値の場合の補正データとして格納し、次に、この最大入力時の輝度レベルを基準として各入力レベルｉにおける輝度レベルＹｉが設定したい輝度曲線上となるように調整し、この輝度レベルＹｉと白色色度（ｘｗ、ｙｗ）とから３刺激値（Ｘｉ、Ｙｉ、Ｚｉ）を求め、この３刺激値（Ｘｉ、Ｙｉ、Ｚｉ）に最も近い組合わせを得られるディスプレイへの入力データ（ｒ、ｇ、ｂ）を映像入力（Ｒｉ、Ｇｉ、Ｂｉ）に対する補正データ（ｒｉ、ｇｉ、ｂｉ）とし、これを最大入力レベルを除く全ての入力レベルｉについて求めてこれを赤色用ＬＵＴ、緑色用ＬＵＴ、青色用ＬＵＴの３つに格納するガンマ補正回路が開示されている。
【先行技術文献】
【特許文献】
【０００３】
【特許文献１】特開２００６−２５８８５０号公報
【発明の概要】
【発明が解決しようとする課題】
【０００４】
画像を表示する表示装置について、表示する画像の色温度を変更するための出力画像データを正確に算出し、色温度を変更後の画像の階調表現が変化しにくいことが望ましい。
【課題を解決するための手段】
【０００５】
請求項１に記載の発明は、表示装置の色調整を行うために使用する色信号を取得する色信号取得部と、前記表示装置に向けて前記色信号を出力したときに、当該表示装置で表示される画像の色情報を取得する色情報取得部と、前記表示装置で画像の表示に使用する色温度の情報を取得する色温度情報取得部と、前記色信号取得部により取得された前記色信号と前記色情報取得部により取得された前記色情報との対応関係である第１の対応関係を求める第１の対応関係導出部と、前記第１の対応関係導出部により求められた前記第１の対応関係から、前記色温度情報取得部により取得された前記色温度で前記表示装置にて画像を表示したときに採る色信号である補正色信号を求める補正色信号導出部と、前記補正色信号導出部により求められた前記補正色信号を前記色信号を構成する色空間とは異なる色空間中における色値に変換し補正色値を求める色値変換部と、前記色値変換部により求められた前記補正色値に基づき、前記色温度で前記表示装置にて表示する画像の色の変換関係を作成する変換関係作成部と、を備えることを特徴とする画像処理装置である。
【０００６】
請求項２に記載の発明は、前記変換関係作成部は、前記補正色値に加え前記補正色信号導出部により求められた前記補正色信号に基づき、前記変換関係を作成することを特徴とする請求項１に記載の画像処理装置である。
請求項３に記載の発明は、前記色信号と当該色信号を構成する色空間とは異なる色空間中における色値とを対応付ける対応関係である第２の対応関係を求める第２の対応関係導出部を更に備え、前記色値変換部は、前記第２の対応関係導出部により求められた前記第２の対応関係から、前記補正色信号を前記色信号を構成する色空間とは異なる色空間中における色値に変換し補正色値を求めることを特徴とする請求項１または２に記載の画像処理装置である。
請求項４に記載の発明は、前記補正色信号導出部は、前記色温度における色情報を設定し、設定された色情報を前記第１の対応関係により当該色温度における色信号に変換し、変換された色信号を最大値とするように前記色を調整するために使用する色信号を変換することで前記補正色信号を求めることを特徴とする請求項１乃至３の何れか１項に記載の画像処理装置である。
請求項５に記載の発明は、前記色信号は、赤色信号、緑色信号および青色信号から構成されることを特徴とする請求項１乃至４の何れか１項に記載の画像処理装置である。
【０００７】
請求項６に記載の発明は、表示装置の色調整を行うために使用する色信号を取得する色信号取得部と、前記表示装置に向けて前記色信号を出力したときに、当該表示装置で表示される画像の色情報を取得する色情報取得部と、前記表示装置で画像の表示に使用する色温度の情報を取得する色温度情報取得部と、前記色信号取得部により取得された前記色信号と前記色情報取得部により取得された前記色情報との対応関係である第１の対応関係を求める第１の対応関係導出部と、前記色温度における色情報を設定し、設定された色情報を前記第１の対応関係により当該色温度における色信号に変換する補正色信号導出部と、前記補正色信号導出部により求められた前記色温度における色信号を基にして、前記色温度で前記表示装置にて表示する画像の色の変換関係を作成する変換関係作成部と、を備えることを特徴とする画像処理装置である。
【０００８】
請求項７に記載の発明は、表示装置にて画像を表示するために作成された色信号を、予め定められた変換関係を用いて色変換処理を行い当該表示装置に出力する色変換手段と、前記色変換手段で用いられる前記変換関係を、前記表示装置にて表示する画像の色調整を行うために作成する変換関係作成手段と、を備え、前記変換関係作成手段は、前記表示装置の色調整を行うために使用する色信号を取得する色信号取得部と、前記表示装置に向けて前記色信号を出力したときに、当該表示装置で表示される画像の色情報を取得する色情報取得部と、前記表示装置で画像の表示に使用する色温度の情報を取得する色温度情報取得部と、前記色信号取得部により取得された前記色信号と前記色情報取得部により取得された前記色情報との対応関係である第１の対応関係を求める第１の対応関係導出部と、前記第１の対応関係導出部により求められた前記第１の対応関係から、前記色温度情報取得部により取得された前記色温度で前記表示装置にて画像を表示したときに採る色信号である補正色信号を求める補正色信号導出部と、前記補正色信号を前記色信号を構成する色空間とは異なる色空間中における色値に変換し補正色値を求める色値変換部と、前記色値変換部により求められた前記補正色値に基づき、前記色温度で前記表示装置にて表示する画像の色の変換関係を作成する変換関係作成部と、を備えることを特徴とする色調整システムである。
【０００９】
請求項８に記載の発明は、前記変換関係作成手段の前記色信号取得部で取得される前記色信号は、前記色変換手段で使用される前記変換関係を定義するために使用されている色信号であることを特徴とする請求項７に記載の色調整システムである。
【００１０】
請求項９に記載の発明は、表示装置にて画像を表示するために作成された色信号を、予め定められた変換関係を用いて色変換処理を行い当該表示装置に出力する色変換手段と、前記色変換手段で用いられる前記変換関係を、前記表示装置にて表示する画像の色調整を行うために作成する変換関係作成手段と、を備え、前記変換関係作成手段は、表示装置の色調整を行うために使用する色信号を取得する色信号取得部と、前記表示装置に向けて前記色信号を出力したときに、当該表示装置で表示される画像の色情報を取得する色情報取得部と、前記表示装置で画像の表示に使用する色温度の情報を取得する色温度情報取得部と、前記色信号取得部により取得された前記色信号と前記色情報取得部により取得された前記色情報との対応関係である第１の対応関係を求める第１の対応関係導出部と、前記色温度における色情報を設定し、設定された色情報を前記第１の対応関係により当該色温度における色信号に変換する補正色信号導出部と、前記補正色信号導出部により求められた前記色温度における色信号を基にして、前記色温度で前記表示装置にて表示する画像の色の変換関係を作成する変換関係作成部と、を備えることを特徴とする色調整システムである。
【００１１】
請求項１０に記載の発明は、コンピュータに、表示装置の色調整を行うために使用する色信号を取得する機能と、前記表示装置に向けて前記色信号を出力したときに、当該表示装置で表示される画像の色情報を取得する機能と、前記表示装置で画像の表示に使用する色温度の情報を取得する機能と、取得された前記色信号と取得された前記色情報との対応関係である第１の対応関係を求める機能と、求められた前記第１の対応関係から、取得された前記色温度で前記表示装置にて画像を表示したときに採る色信号である補正色信号を求める機能と、前記補正色信号を前記色信号を構成する色空間とは異なる色空間中における色値に変換し補正色値を求める機能と、求められた前記補正色値に基づき、前記色温度で前記表示装置にて表示する画像の色の変換関係を作成する機能と、を実現させるプログラムである。
【００１２】
請求項１１に記載の発明は、コンピュータに、表示装置の色調整を行うために使用する色信号を取得する機能と、前記表示装置に向けて前記色信号を出力したときに、当該表示装置で表示される画像の色情報を取得する機能と、前記表示装置で画像の表示に使用する色温度の情報を取得する機能と、取得された前記色信号と取得された前記色情報との対応関係である第１の対応関係を求める機能と、前記色温度における色情報を設定し、設定された色情報を前記第１の対応関係により当該色温度における色信号に変換する機能と、求められた前記色温度における色信号を基にして、前記色温度で前記表示装置にて表示する画像の色の変換関係を作成する機能と、を実現させるプログラムである。
【発明の効果】
【００１３】
請求項１の発明によれば、本構成を有していない場合に比較して、表示する画像の色温度を変更しても階調表現が変化しにくい画像処理装置が提供できる。
請求項２の発明によれば、本構成を有していない場合に比較して、色調整の精度がより向上する。
請求項３の発明によれば、本構成を有していない場合に比較して、補正色値を求めるのに適した色空間を利用することができる。
請求項４の発明によれば、本構成を有していない場合に比較して、色温度変更後の画像を考慮したデバイス特性である第１の対応関係を使用して補正色信号を求めることができる。
請求項５の発明によれば、本構成を有していない場合に比較して、加法混色により画像を表示するデバイスにおいても色調整の精度がより向上する。
請求項６の発明によれば、本構成を有していない場合に比較して、表示する画像の色温度を変更しても、変更された色温度における白画像を表示することができる。
請求項７の発明によれば、本構成を有していない場合に比較して、表示手段で表示する画像について色温度を変更しても、色を変換する処理をより高精度に行うことができる色調整システムが提供できる。
請求項８の発明によれば、本構成を有していない場合に比較して、色変換手段の変換関係をより簡便に変更することができる。
請求項９の発明によれば、本構成を有していない場合に比較して、表示手段で表示する画像について色温度を変更しても、色を変換する処理をより高精度に行うことができる色調整システムが提供できる。
請求項１０の発明によれば、本構成を有していない場合に比較して、表示する画像の色温度を変更しても階調表現が変化しにくくする機能をコンピュータにより実現できる。
請求項１１の発明によれば、本構成を有していない場合に比較して、表示する画像の色温度を変更しても、変更された色温度における白画像を表示することができる機能をコンピュータにより実現できる。
【図面の簡単な説明】
【００１４】
【図１】本実施の形態の画像表示システムの構成例を示す図である。
【図２】図１に示す画像表示システムに色設定システムを取り付けた状態を説明するための図である。
【図３】設定用ＰＣについてのハードウェア構成を示した図である。
【図４】本実施の形態の設定用ＰＣについての機能構成例を説明した図である。
【図５】図４で使用または生成されるデータについて説明した図である。
【図６】図４で使用または生成されるデータの具体例を挙げた図である。
【図７】白補正ＲＧＢ値が（Ｒｓ、Ｇｓ、Ｂｓ）＝（１７０、１５９、１４３）であったときの白補正ＲＧＢＬＵＴの一例を示している。
【図８】Ｌａｂ色空間でなくＸＹＺ色空間を用いたときに使用または生成されるデータの具体例を挙げた図である。
【図９】設定用ＰＣの動作例について説明したフローチャートである。
【図１０】（ａ）〜（ｂ）は、第１の実施の形態と第２の実施の形態で、多次元ＬＵＴを作成するのに用いられるデータ群と、色処理装置において多次元ＬＵＴを用いて入力画像データを出力画像データに変換する方法について説明した図である。
【図１１】本実施の形態の設定用についての機能構成例を説明した図である。
【図１２】図１１で使用または生成されるデータについて説明した図である。
【発明を実施するための形態】
【００１５】
＜画像表示システムの全体構成の説明＞
以下、添付図面を参照して、本発明の実施の形態について詳細に説明する。
【００１６】
図１は、本実施の形態における画像表示システム１０の構成例を示す図である。
この画像表示システム１０は、ネットワークＮに接続され、表示のための画像データ（入力画像データ）の作成等を行う表示用ＰＣ（Personal Computer）１１と、表示画面１２１に画像を表示する表示装置１２と、表示用ＰＣ１１から入力されてくる入力画像データに色変換テーブル（変換関係）を用いて色変換処理を行い、得られた画像データ（表示用の出力画像データ）を表示装置１２に出力する色変換手段の一例としての色処理装置１３とを備えている。なお、画像表示システム１０は、ネットワークＮを介して、別の画像表示システムや各種プリンタ等と接続されている。
【００１７】
この画像表示システム１０において、表示用ＰＣ１１および色処理装置１３はＤＶＩ（Digital Visual Interface）を介して接続されており、色処理装置１３および表示装置１２もＤＶＩを介して接続されている。なお、ＤＶＩに代えて、ＨＤＭＩ（High-Definition Multimedia Interface）やDisplayPortを介して接続するようにしてもかまわない。
【００１８】
供給装置の一例としての表示用ＰＣ１１は、所謂汎用のパーソナルコンピュータである。そして、表示用ＰＣ１１は、ＯＳによる管理下において、各種アプリケーションソフトウェアを動作させることで、入力画像データの作成等が行われるようになっている。
【００１９】
また、表示装置１２は、例えばＰＣ用の液晶ディスプレイ、液晶テレビあるいはプロジェクタなど、加法混色にて画像を表示する機能を備えたもので構成される。したがって、表示装置１２における表示方式は、液晶方式に限定されるものではない。なお、図１に示す例では、表示装置１２内に表示画面１２１が設けられているが、表示装置１２として例えばプロジェクタを用いる場合、表示画面１２１は、表示装置１２の外部に設けられたスクリーン等となる。
【００２０】
色処理装置１３は、出力画像データ作成部１３１と、記憶手段の一例としての色変換テーブル記憶部１３２とを備えている。
【００２１】
出力画像データ作成部１３１は、表示用ＰＣ１１から入力されてくる入力画像データに対し、色変換テーブル記憶部１３２から読み出した色変換テーブルを用いて色変換を施し、得られた表示用の出力画像データを表示装置１２に出力する。なお本実施の形態では、出力画像データ作成部１３１は、入力画像データとして赤色信号（Ｒ）、緑色信号（Ｇ）および青色信号（Ｂ）を受け取り、色変換を施すことで出力画像データとして赤色信号（Ｒ’）、緑色信号（Ｇ’）および青色信号（Ｂ’）を出力する。
【００２２】
色変換テーブル記憶部１３２は、上述した出力画像データ作成部１３１による表示用の出力画像データの作成において用いられる色変換テーブルを記憶する。ここで、色変換テーブルとしては、例えば変換用の行列（マトリックス）、１次元ＬＵＴ（Look Up Table）あるいは多次元ＬＵＴ等が挙げられるが、本実施の形態では、色変換をより精度良く行うために多次元ＬＵＴが用いられる。なお、色変換テーブル記憶部１３２は、読み書き可能であって電源を供給しなくても記憶内容を保持することが可能な不揮発性メモリ（例えばフラッシュメモリ）で構成される。
【００２３】
ここで、図１に示す画像表示システム１０は、１台の表示用ＰＣ１１に１台の色処理装置１３を介して１台の表示装置１２を接続する場合を例示しているが、これに限られるものではない。例えば、１台の色処理装置１３に複数台の表示装置１２を接続し、各表示装置１２に連続した異なる画像を表示する、所謂マルチモニタ構成とすることも可能である。
【００２４】
さて、本実施の形態の画像表示システム１０では、表示用ＰＣ１１ではなく色処理装置１３が、入力画像データに色変換処理を施すことで表示用の出力画像データを作成する。ここで、色処理装置１３における色変換処理で用いられる色変換テーブルは、表示装置１２のデバイス特性を考慮し、表示装置１２に表示する画像について所望される色温度に合致するように作成および変更が行われる。そして画像表示システム１０では、画像表示システム１０に後述する設定用ＰＣ２１を外付けした状態で、表示装置１２のデバイス特性を加味した色変換テーブルの作成および変更が実行される。
【００２５】
次に色処理装置１３で用いられる色変換テーブルの作成において、画像表示システム１０に取り付けられる色設定システムについて説明を行う。
図２は、図１に示す画像表示システム１０に色設定システム２０を取り付けた状態を説明するための図である。
【００２６】
本実施の形態の色設定システム２０は、画像表示システム１０の色処理装置１３に接続される設定用ＰＣ２１と、設定用ＰＣ２１に接続されるとともに画像表示システム１０の表示装置１２における表示画面１２１に表示された画像の色を測定する測色器２２とを備えている。
【００２７】
この色設定システム２０において、設定用ＰＣ２１および測色器２２は、ＵＳＢ（Universal Serial Bus）あるいはＲＳ−２３２Ｃを介して接続されている。また、色設定システム２０における設定用ＰＣ２１と画像表示システム１０における色処理装置１３とは、ＵＳＢを介して接続されている。
【００２８】
色設定システム２０において、設定用ＰＣ２１は、詳しくは後述するが所謂汎用のパーソナルコンピュータであり、例えば可搬性に優れたノート型ＰＣ等が用いられる。そして、設定用ＰＣ２１も、ＯＳによる管理下において、各種アプリケーションソフトウェアを動作させるようになっている。
【００２９】
また、測色器２２は、画像表示システム１０の表示装置１２に設けられた表示画面１２１に接触あるいは非接触に配置されることで、表示画面１２１に表示される画像の色を測定するセンサを備えている。この例において、測色器２２に設けられたセンサによる測定領域の大きさは、表示画面１２１の大きさ以下となるように設定されている。そして、測色器２２は、表示画面１２１の全領域について測色を行うのではなく、全領域のうち予め決められた一部領域について測色を行うように構成されている。
【００３０】
ここで、図２に示す色設定システム２０は、１台の設定用ＰＣ２１に１台の測色器２２を接続する場合を例示しているが、これに限られるものではない。例えば、１台の設定用ＰＣ２１に複数台の測色器２２を接続するように構成することも可能である。
【００３１】
本実施の形態では、色設定システム２０に設けられた設定用ＰＣ２１が、色変換テーブルを作成し、画像表示システム１０の色処理装置１３に設けられた色変換テーブル記憶部１３２に対し、色変換テーブルを書き込むことが可能となっている。本実施の形態において、この設定用ＰＣ２１は、色処理装置１３で用いられる色変換テーブルを作成する変換関係作成手段（画像処理装置）として捉えることができる。
【００３２】
そして、本実施の形態の画像表示システム１０は、通常は、色設定システム２０が取り付けられていない状態で、表示用ＰＣ１１が作成した入力画像データを、色処理装置１３にて色変換することで得られた表示用の出力画像データに基づく画像（表示用画像）を、表示装置１２の表示画面１２１に表示するようになっている。一方、この画像表示システム１０は、色変換テーブルの作成あるいは変更等を実行する際に、色設定システム２０が取り付けられた状態で、色処理装置１３が作成した測色用の出力画像データに基づく画像（測色用画像、色パッチ）を、表示装置１２の表示画面１２１に表示するようになっている。
【００３３】
＜設定用ＰＣのハードウェア構成例＞
次に、設定用ＰＣ２１のハードウェア構成について説明する。
図３は、設定用ＰＣ２１のハードウェア構成を示した図である。
設定用ＰＣ２１は、上述したようにパーソナルコンピュータ等により実現される。そして図示するように、設定用ＰＣ２１は、演算手段であるＣＰＵ（Central Processing Unit）４１と、記憶手段であるメインメモリ４２、およびＨＤＤ（Hard Disk Drive）４３とを備える。ここで、ＣＰＵ４１は、ＯＳ（Operating System）やアプリケーションソフトウェア等の各種プログラムを実行する。また、メインメモリ４２は、各種プログラムやその実行に用いるデータ等を記憶する記憶領域であり、ＨＤＤ４３は、各種プログラムに対する入力データや各種プログラムからの出力データ等を記憶する記憶領域である。
【００３４】
さらに、設定用ＰＣ２１は、外部との通信を行うための通信インターフェース（以下、「通信Ｉ／Ｆ」と表記する）４４と、ビデオメモリやディスプレイ等からなり、画像を表示するモニタ４５と、キーボードやマウス等の入力デバイス４６とを備える。
【００３５】
＜設定用ＰＣの機能構成例＞
［第１の実施の形態］
設定用ＰＣの機能構成としてまず、第１の実施の形態について説明する。
図４は、本実施の形態の設定用ＰＣ２１についての機能構成例を説明した図である。また図５は、図４で使用または生成されるデータについて説明した図である。さらに図６は、図４で使用または生成されるデータの具体例を挙げた図である。
以後、図４、図５、図６を使用して設定用ＰＣ２１の機能構成について説明を行う。
【００３６】
図４に示した設定用ＰＣ２１は、色信号取得部２１１と、色信号出力部２１２と、色データ取得部２１３と、色温度情報取得部２１４と、第１の対応関係導出部２１５と、補正色信号導出部２１６と、第２の対応関係導出部２１７と、色値変換部２１８と、変換関係作成部２１９とを備える。
【００３７】
色信号取得部２１１は、色処理装置１３の色変換テーブル記憶部１３２から入力色信号としての赤色信号（Ｒｉｎ）、緑色信号（Ｇｉｎ）、青色信号（Ｂｉｎ）を取得する。このＲｉｎ、Ｇｉｎ、Ｂｉｎは、表示用ＰＣ１１から入力される入力画像データとしての赤色信号（Ｒ）、緑色信号（Ｇ）および青色信号（Ｂ）とは異なり、色変換テーブル記憶部１３２に格納されている多次元ＬＵＴの各格子点データである。これは、入力色信号であるＲｉｎ、Ｇｉｎ、Ｂｉｎは、表示装置１２の色調整を行うために使用する赤色信号、緑色信号および青色信号の各色信号であり、Ｒｉｎ、Ｇｉｎ、Ｂｉｎの各値は、変換関係としての多次元ＬＵＴを定義するために使用されている赤色信号、緑色信号および青色信号の各値であると言い換えることもできる。
【００３８】
例えば、表示装置１２において画像が、２５６階調で表示される場合、Ｒｉｎ、ＧｉｎおよびＢｉｎは、０〜２５５の何れかの整数値となる。図６の第１列に示す例では、Ｒｉｎ、Ｇｉｎ、Ｂｉｎは、６４毎に設定される値を採り、０、６４、１２８、１９２、２５５の５つの値の何れかとなる。そのためＲｉｎ、Ｇｉｎ、Ｂｉｎの組は、合計５３＝１２５個ある。よってＲｉｎ、Ｇｉｎ、Ｂｉｎの各値の組み合わせにより、１２５個の組から構成されるデータ群が構成される。本実施の形態では、以後、このＲｉｎ、Ｇｉｎ、Ｂｉｎの組からなるデータ群をＲＧＢデータ群と言うことがある。このＲＧＢデータ群は、図５ではＲＧＢデータ群Ｄ３として図示し、図６の第１列に例示されるデータ群となる。
【００３９】
色信号出力部２１２は、色信号取得部２１１が取得したＲｉｎ、Ｇｉｎ、Ｂｉｎを実際に表示装置１２に送信する。
表示装置１２では、色信号出力部２１２により送信されたＲｉｎ、Ｇｉｎ、Ｂｉｎを基に測色用画像の画像が表示される。表示装置１２に表示された測色用画像の画像は、測色器２２により色が読み取られる。そして測色器２２は、それぞれの測色用画像の画像を読み取ることで取得した色情報（色データ）を設定用ＰＣ２１に対し、送信する。このとき測色器２２が出力する色データは、例えば、ＸＹＺ色空間におけるＸ値、Ｙ値、Ｚ値である。
【００４０】
色データ取得部２１３は、色情報取得部の一例であり、測色器２２から送信された色データを取得する。つまり色データ取得部２１３は、表示装置１２に向けてＲｉｎ、Ｇｉｎ、Ｂｉｎを出力したときに、表示装置１２で表示される画像の色データを取得する。
【００４１】
この色データは、Ｘ、Ｙ、Ｚの各組から構成される。表示装置１２では、色信号取得部２１１が取得した１２５組のＲｉｎ、Ｇｉｎ、Ｂｉｎの全てについて測色用画像の画像が表示されるため、取得される色データとしてのＸ、Ｙ、Ｚの組は、１２５組となる。本実施の形態では、以後、このＸ、Ｙ、Ｚの組からなるデータ群をＸＹＺデータ群と言うことがある。このＸＹＺデータ群は、図６の第２列に例示されるデータ群となる。
【００４２】
色温度情報取得部２１４は、表示装置１２で画像の表示に使用する色温度の情報を取得する。より具体的には、色温度情報取得部２１４は、表示装置１２で白色画像を表示させるときの色温度の設定情報を取得する。この色温度は、表示装置１２に対しこの時点で設定されている色温度ではなく、表示装置１２で新たに設定したい色温度である。色温度の情報は、例えば、モニタ４５（図３参照）に色温度の設定を促す設定画面を表示し、作業者がキーボードやマウス等の入力デバイス４６（図３参照）を操作して色温度の数値を入力することで取得することができる。
【００４３】
第１の対応関係導出部２１５は、色信号取得部２１１により取得されたＲｉｎ、Ｇｉｎ、Ｂｉｎと色データ取得部２１３により取得された色データとの対応関係である第１の対応関係を求める。
この第１の対応関係は、上述したＲｉｎ、Ｇｉｎ、Ｂｉｎ（ＲＧＢデータ群）とＸ、Ｙ、Ｚ（ＸＹＺデータ群）との対応関係である。即ち、表示装置１２にてＲｉｎ、Ｇｉｎ、Ｂｉｎを基に画像を表示したときに表示装置１２で表示される色との対応関係である。この第１の対応関係は、表示装置１２に入力される入力画像データと実際に表示装置１２に表示される色との対応関係であると言い換えることもでき、表示装置１２のデバイス特性である。
【００４４】
図５では、この第１の対応関係は、デバイス特性Ｔ１として図示している。また図６では、この第１の対応関係は、第１列のＲｉｎ、Ｇｉｎ、Ｂｉｎの各組と第２列のＸ、Ｙ、Ｚの各組との対応関係として例示できる。
【００４５】
補正色信号導出部２１６は、第１の対応関係導出部２１５により求められた第１の対応関係から、色温度情報取得部２１４により取得された色温度で表示装置１２にて画像を表示したときに採る色信号である補正色信号を求める。
ここで補正色信号導出部２１６は、まず色温度情報取得部２１４により取得された色温度におけるＸ、Ｙ、Ｚの各値（ここではＸｓ、Ｙｓ、Ｚｓと表記する）を設定する。具体的には、色温度によりＸｓ値、Ｚｓ値は、一義的に定まり色温度が６５００Ｋだったときは、例えば、（Ｘｓ、Ｚｓ）＝（９５、８５）となる。ただしＹｓ（輝度）については、種々の値を取り得るため、ここでは、Ｙｓ＝１００（１００ｃｄ／ｍ２）を選択する。これは実際に表示装置１２で表示させる使用状況に合わせた数値である。即ち表示装置１２で白色画像を表示させた場合には、通常Ｙｈ＝１００近辺の値となる。その結果、本実施の形態では、（Ｘｓ、Ｙｓ、Ｚｓ）＝（９５、１００、８５）が設定される。
これは、図５では、Ｘｓ、Ｙｓ、Ｚ値Ｄ１として図示している。
【００４６】
次に補正色信号導出部２１６は、第１の対応関係導出部２１５で求められた第１の対応関係を用いて、線形回帰モデル、重回帰分析、ニューロモデル等の予測計算を使用し、Ｘｓ、Ｙｓ、Ｚｓの各値をＲ、Ｇ、Ｂの各値に変換する。つまりＸｓ、Ｙｓ、Ｚｓの各値を第１の対応関係を用いて変換された後のＲ、Ｇ、Ｂの各値は、色温度情報取得部２１４により取得された色温度で表示装置１２にて白色画像を表示したときに入力される色信号（入力画像データ）となる。本実施の形態では、変換された後のＲ、Ｇ、ＢをそれぞれＲｓ、Ｇｓ、Ｂｓと表記することにし、これらを白補正ＲＧＢ値と呼ぶ。
なおここでは、（Ｘｓ、Ｙｓ、Ｚｓ）＝（９５、１００、８５）を第１の対応関係を用いて変換された後の値が、（Ｒｓ、Ｇｓ、Ｂｓ）＝（１７０、１５９、１４３）であったとする。
【００４７】
なおＸｓ、Ｙｓ、Ｚｓを第１の対応関係を用いてＲｓ、Ｇｓ、Ｂｓに変換する処理は、図５ではＸｓ、Ｙｓ、Ｚ値Ｄ１をデバイス特性Ｔ１を用いて白補正ＲＧＢ値Ｄ２に変換する処理として図示している。
【００４８】
そして補正色信号導出部２１６は、白補正ＲＧＢ値（Ｒｓ、Ｇｓ、Ｂｓ）を基にＲｉｎ、Ｇｉｎ、Ｂｉｎ（ＲＧＢデータ群）の白補正を行うための白補正ＲＧＢＬＵＴを作成する。この白補正ＲＧＢＬＵＴは、ＲＧＢデータ群の各Ｒｉｎ、Ｇｉｎ、Ｂｉｎのそれぞれを白補正ＲＧＢ値（Ｒｓ、Ｇｓ、Ｂｓ）を最大値として補正するための１次元ＬＵＴである。なお白補正ＲＧＢＬＵＴは、図５では、白補正ＲＧＢＬＵＴ Ｄ４として図示している。
【００４９】
図７は、白補正ＲＧＢ値が（Ｒｓ、Ｇｓ、Ｂｓ）＝（１７０、１５９、１４３）であったときの白補正ＲＧＢＬＵＴの一例を示している。
図示する１次元ＬＵＴは、赤色（Ｒ）信号については、０−１７０を直線で結ぶものとしている。同様に緑色（Ｇ）信号については、０−１５９を直線で結ぶものとし、青色（Ｂ）信号については、０−１４３を直線で結ぶものとしている。なお直線で結ぶ場合に限られるものではなく、２次曲線、３次曲線等の曲線で結んでもよい。
そしてこのように設定された１次元ＬＵＴにより、最大値を２５５とするＲｉｎ、Ｇｉｎ、Ｂｉｎ（ＲＧＢデータ群）は、白補正ＲＧＢ値として（Ｒｓ、Ｇｓ、Ｂｓ）＝（１７０、１５９、１４３）を最大値とするＲＧＢのデータ群に変換することができる。
【００５０】
補正色信号導出部２１６は、図７に例示した白補正ＲＧＢＬＵＴを使用してＲｉｎ、Ｇｉｎ、Ｂｉｎ（ＲＧＢデータ群）を変換する。ここでは変換後のＲｉｎ、変換後のＧｉｎ、変換後のＢｉｎをそれぞれＲｈ、Ｇｈ、Ｂｈと表記することとし、これらＲｈ、Ｇｈ、Ｂｈの各組により構成されるデータ群を白補正ＲＧＢデータ群と呼ぶ。
この白補正ＲＧＢデータ群が、ここでは色温度情報取得部２１４により取得された色温度で表示装置１２にて画像を表示したときに採り得る色信号である補正色信号である。つまりＲｈは、０〜１７０の整数値を採る。同様にＧｈは、０〜１５９の整数値を採り、Ｂｈは、０〜１４３の整数値を採る。
【００５１】
なおＲｉｎ、Ｇｉｎ、Ｂｉｎ（ＲＧＢデータ群）を白補正ＲＧＢＬＵＴを用いてＲｈ、Ｇｈ、Ｂｈ（白補正ＲＧＢデータ群）に変換する処理は、図５ではＲＧＢデータ群Ｄ３を白補正ＲＧＢＬＵＴ Ｄ４を用いて白補正ＲＧＢデータ群Ｄ５に変換する処理として図示している。また図６では、この変換処理は、第１列のＲｉｎ、Ｇｉｎ、Ｂｉｎの各組を第４列のＲｈ、Ｇｈ、Ｂｈの各組に変換する処理として例示できる。
【００５２】
第２の対応関係導出部２１７は、入力色信号であるＲｉｎ、Ｇｉｎ、Ｂｉｎ（ＲＧＢデータ群）とＲｉｎ、Ｇｉｎ、Ｂｉｎを構成する色空間（ＲＧＢ色空間）とは異なる色空間中における色値とを対応付ける対応関係である第２の対応関係を求める。
本実施の形態では、Ｒｉｎ、Ｇｉｎ、Ｂｉｎを構成する色空間（ＲＧＢ色空間）とは異なる色空間として、例えばデバイス非依存の色空間であるＬａｂ色空間を用いる。よって第２の対応関係は、Ｒｉｎ、Ｇｉｎ、Ｂｉｎ（ＲＧＢデータ群）をＬａｂ色空間での色値（Ｌ＊、ａ＊、ｂ＊）と関連づけられたものとなる。
第２の対応関係を求めるには、まず色データ取得部２１３で取得されたＸ、Ｙ、Ｚ（ＸＹＺデータ群）をＬａｂ色空間における色値（Ｌ＊、ａ＊、ｂ＊）に変換する。この変換は公知の数式により行うことができる。一方、Ｒｉｎ、Ｇｉｎ、Ｂｉｎ（ＲＧＢデータ群）とＸ、Ｙ、Ｚ（ＸＹＺデータ群）とは上記第１の対応関係により既に対応関係がわかっている。よってＲｉｎ、Ｇｉｎ、Ｂｉｎ（ＲＧＢデータ群）とＬａｂ色空間における色値（Ｌ＊、ａ＊、ｂ＊）とを関連づけることができる。ここではＲｉｎ、Ｇｉｎ、Ｂｉｎの各組に関連づけられた色値（Ｌ＊、ａ＊、ｂ＊）の各組をＬ＊ｉｎ、ａ＊ｉｎ、ｂ＊ｉｎと表記し、Ｌ＊ｉｎ、ａ＊ｉｎ、ｂ＊ｉｎの各組からなるデータ群をＬａｂデータ群と言う。この第２の対応関係は、表示装置１２に入力される入力画像データと実際に表示装置１２に表示される色をＬａｂ色空間により表わした値との対応関係であると言い換えることもでき、表示装置１２のデバイス特性の１つである。
【００５３】
図５では、この第２の対応関係は、デバイス特性Ｔ２として図示している。また図６では、この第２の対応関係は、第１列のＲｉｎ、Ｇｉｎ、Ｂｉｎの各組と第３列のＬ＊ｉｎ、ａ＊ｉｎ、ｂ＊ｉｎの各組との対応関係として例示できる。
【００５４】
色値変換部２１８は、第２の対応関係導出部２１７により求められた第２の対応関係から、補正色信号導出部２１６により求められた補正色信号をＲｉｎ、Ｇｉｎ、Ｂｉｎを構成する色空間（ＲＧＢ色空間）とは異なる色空間中における色値に変換し補正色値を求める。
つまり第２の対応関係であるＲｉｎ、Ｇｉｎ、Ｂｉｎ（ＲＧＢデータ群）とＬ＊ｉｎ、ａ＊ｉｎ、ｂ＊ｉｎ（Ｌａｂデータ群）との対応関係を利用して、Ｒｈ、Ｇｈ、Ｂｈ（白補正ＲＧＢデータ群）をＬ＊、ａ＊、ｂ＊の各値からなる補正色値に変換する。ここではＲｈ、Ｇｈ、Ｂｈの各組に関連づけられたＬ＊、ａ＊、ｂ＊の各組をＬ＊ｈ、ａ＊ｈ、ｂ＊ｈと表記し、Ｌ＊ｈ、ａ＊ｈ、ｂ＊ｈの各組からなるデータ群を白補正Ｌａｂデータ群と言う。
【００５５】
なおＲｈ、Ｇｈ、Ｂｈ（白補正ＲＧＢデータ群）を第２の対応関係を用いてＬ＊ｈ、ａ＊ｈ、ｂ＊ｈ（白補正Ｌａｂデータ群）に変換する処理は、図５では白補正ＲＧＢデータ群Ｄ５をデバイス特性Ｔ２を用いて白補正Ｌａｂデータ群Ｄ６に変換する処理として図示している。また図６では、この変換処理は、第４列のＲｈ、Ｇｈ、Ｂｈの各組を第５列のＬ＊ｈ、ａ＊ｈ、ｂ＊ｈの各組に変換する処理として例示できる。
【００５６】
変換関係作成部２１９は、色値変換部２１８により求められた補正色値に基づき、取得された色温度で表示装置１２にて表示する画像の色の色変換テーブル（変換関係）として多次元ＬＵＴを作成する。
【００５７】
変換関係作成部２１９で多次元ＬＵＴを作成する手順は、以下の通りである。なお以下の手順はデバイス非依存の空間としてＬａｂ色空間を用いた場合の処理である。
（１）まずＲｉｎ、Ｇｉｎ、Ｂｉｎ（ＲＧＢデータ群）を公知の数式（例えば、ｓＲＧＢ色空間をＬａｂ色空間に変換する数式）によりＬａｂ色空間における色値に変換する。この色値の組よりなるデータ群を仮にｓＬａｂデータ群とする。
（２）次にｓＬａｂデータ群と白補正Ｌａｂデータ群とを比較し、さらに白補正ＲＧＢデータ群と比較することでｓＬａｂデータ群を構成する色値の組を白補正ＲＧＢデータ群の組とする。即ち、ｓＬａｂデータ群→白補正Ｌａｂデータ群→白補正ＲＧＢデータ群の変換を行う。この場合、ｓＬａｂデータ群を構成する各組の数値と、図６の第５列の白補正Ｌａｂデータ群の数値とを比較し、さらに図６の第４列の白補正ＲＧＢデータ群の数値とを比較していく。実際には、数値が合う箇所は少ないため、数値を算出するのに、例えば、線形回帰モデルや、高次多項式近似モデル、ニューロモデル等の公知の方法を使用する。また使用するＲｉｎ、Ｇｉｎ、Ｂｉｎのデータは多次元ＬＵＴの格子点となり、格子点数が多い方が精度の高い変換を行うことができる。
【００５８】
なお上述したＬａｂ色空間でなく、例えば、ＸＹＺ色空間を用いても同様の処理は可能である。この場合、第１の対応関係を用い、補正色信号導出部２１６により求められた補正色信号をＲｉｎ、Ｇｉｎ、Ｂｉｎを構成する色空間（ＲＧＢ色空間）とは異なる色空間中としてＸＹＺ色空間における色値に変換し補正色値を求める。
つまり第１の対応関係であるＲｉｎ、Ｇｉｎ、Ｂｉｎ（ＲＧＢデータ群）とＸ、Ｙ、Ｚ（ＸＹＺデータ群）との対応関係を利用して、Ｒｈ、Ｇｈ、Ｂｈ（白補正ＲＧＢデータ群）をＸ、Ｙ、Ｚの各値からなる補正色値に変換する。ここではＲｈ、Ｇｈ、Ｂｈの各組に関連づけられたＸ、Ｙ、Ｚの各組をＸｈ、Ｙｈ、Ｘｈと表記し、Ｘｈ、Ｙｈ、Ｚｈの各組からなるデータ群を白補正ＸＹＺデータ群と言う。
【００５９】
図８は、この際に具体的に使用または生成されるデータの具体例を挙げた図である。図８に挙げた例では、第１の対応関係は、第１列のＲｉｎ、Ｇｉｎ、Ｂｉｎの各組と第２列のＸ、Ｙ、Ｚの各組との対応関係として例示できる。またＲｈ、Ｇｈ、Ｂｈ（白補正ＲＧＢデータ群）をＸｈ、Ｙｈ、Ｚｈ（白補正ＸＹＺデータ群）に変換する処理は、第３列のＲｈ、Ｇｈ、Ｂｈの各組を第４列のＸｈ、Ｙｈ、Ｚｈの各組に変換する処理として例示できる。
【００６０】
そして変換関係作成部２１９で多次元ＬＵＴを作成するには、ＸＹＺデータ群と白補正ＸＹＺデータ群とを比較することでＲＧＢデータ群を構成する色値の組を白補正ＲＧＢデータ群の組にすることで行うことができる。
【００６１】
以上のようにしてＲｉｎ、Ｇｉｎ、Ｂｉｎ（ＲＧＢデータ群）をＲｈ、Ｇｈ、Ｂｈ（白補正ＲＧＢデータ群）に変換することができる。そしてＲｈ、Ｇｈ、Ｂｈ（白補正ＲＧＢデータ群）は、出力色信号として出力される。本実施の形態では、出力色信号は、色変換テーブル記憶部１３２に格納される色変換テーブルとしての多次元ＬＵＴの各格子点データとして格納される。つまり上述した一連の処理により色変換テーブル記憶部１３２に格納される多次元ＬＵＴは、色温度変更後の画像を表示装置１２に表示する多次元ＬＵＴに変更される。
【００６２】
図３に示す設定用ＰＣ２１において、ＨＤＤ４３には、図４に示す各機能を実現するためのプログラムが格納されている。そして、このプログラムがメインメモリ４２にロードされ、このプログラムに基づく処理がＣＰＵ４１により実行されることにより、これら各機能が実現される。
【００６３】
具体的には、設定用ＰＣ２１において、例えばアプリケーションソフトウェア等として用意されたプログラムに基づいてＣＰＵ４１が行う指示により、通信Ｉ／Ｆ４４を介して色処理装置１３との間で入力色信号（Ｒｉｎ、Ｇｉｎ、Ｂｉｎ）および出力色信号（Ｒｈ、Ｇｈ、Ｂｈ）の送受信を行う。また同様にしてプログラムに基づいてＣＰＵ４１が行う指示により、通信Ｉ／Ｆ４４を介して測色器２２との間で色信号（Ｒｉｎ、Ｇｉｎ、Ｂｉｎ）および色データ（Ｘ、Ｙ、Ｚ（ＸＹＺデータ群））の送受信を行う。さらに同様にして色温度の設定画面等をモニタ４５に表示し、入力デバイス４６を介して色温度情報の取得を行う。さらに第１の対応関係、色温度情報取得部２１４により取得された色温度におけるＸ、Ｙ、Ｚの各値（Ｘｓ、Ｙｓ、Ｚｓ）、白補正ＲＧＢ値（Ｒｓ、Ｇｓ、Ｂｓ）、白補正ＲＧＢＬＵＴ、白補正ＲＧＢデータ群（Ｒｈ、Ｇｈ、Ｂｈ）、第２の対応関係、白補正ＲＧＢデータ群（Ｒｈ、Ｇｈ、Ｂｈ）、多次元ＬＵＴ等の算出は、ＣＰＵ４１が演算を行うことで実現することができる。
【００６４】
＜設定用ＰＣの動作の説明＞
図９は、設定用ＰＣ２１の動作例について説明したフローチャートである。
以下、図４〜図９を使用して設定用ＰＣ２１の動作について説明を行なう。
【００６５】
まず色信号取得部２１１が、色処理装置１３の色変換テーブル記憶部１３２から入力色信号としてのＲｉｎ、Ｇｉｎ、Ｂｉｎ（ＲＧＢデータ群）を取得する（ステップ８０１）。上述したようにＲｉｎ、Ｇｉｎ、Ｂｉｎは、本実施の形態では、色処理装置１３の色変換テーブル記憶部１３２に格納されている多次元ＬＵＴの各格子点データである。
【００６６】
次に色信号出力部２１２が、色信号取得部２１１が取得した入力色信号であるＲｉｎ、Ｇｉｎ、Ｂｉｎを実際に表示装置１２に送信する（ステップ８０２）。表示装置１２では、色信号出力部２１２により送信されたＲｉｎ、Ｇｉｎ、Ｂｉｎを基に測色用画像の画像が表示され、測色器２２により色が読み取られる。測色器２２は、それぞれの測色用画像の画像を読み取ることで取得した色データを設定用ＰＣ２１に対し、送信する。
【００６７】
そして色データ取得部２１３が、測色器２２から送信された色データとして、Ｘ、Ｙ、Ｚ（ＸＹＺデータ群）を取得する（ステップ８０３）。
一方、色温度情報取得部２１４が、表示装置１２で画像の表示に使用する色温度の情報を取得する（ステップ８０４）。
【００６８】
次に第１の対応関係導出部２１５が、Ｒｉｎ、Ｇｉｎ、Ｂｉｎと色データとの第１の対応関係を求める（ステップ８０５）。この第１の対応関係は、上述したＲｉｎ、Ｇｉｎ、Ｂｉｎ（ＲＧＢデータ群）とＸ、Ｙ、Ｚ（ＸＹＺデータ群）との対応関係である。
【００６９】
次に補正色信号導出部２１６が、色温度情報取得部２１４により取得された色温度におけるＸ、Ｙ、Ｚの各値（Ｘｓ、Ｙｓ、Ｚｓ）を設定する（ステップ８０６）。
そして補正色信号導出部２１６は、第１の対応関係を用いて、Ｘｓ、Ｙｓ、Ｚｓの各値をＲ、Ｇ、Ｂの各値（Ｒｓ、Ｇｓ、Ｂｓ）に変換する（ステップ８０７）。
さらに補正色信号導出部２１６は、白補正ＲＧＢ値（Ｒｓ、Ｇｓ、Ｂｓ）を基にＲｉｎ、Ｇｉｎ、Ｂｉｎ（ＲＧＢデータ群）の白補正を行うための白補正ＲＧＢＬＵＴを作成する（ステップ８０８）。この白補正ＲＧＢＬＵＴは、例えば、図７に例示したものとなる。
さらに補正色信号導出部２１６は、白補正ＲＧＢＬＵＴを使用してＲｉｎ、Ｇｉｎ、Ｂｉｎ（ＲＧＢデータ群）を補正色信号としてのＲｈ、Ｇｈ、Ｂｈ（白補正ＲＧＢデータ群）に変換する（ステップ８０９）。
【００７０】
次に第２の対応関係導出部２１７が、Ｒｉｎ、Ｇｉｎ、Ｂｉｎ（ＲＧＢデータ群）とＬａｂ色空間中における色値（Ｌ＊ｉｎ、ａ＊ｉｎ、ｂ＊ｉｎ（Ｌａｂデータ群））とを対応付ける第２の対応関係を求める（ステップ８１０）。
【００７１】
そして色値変換部２１８が、第２の対応関係から、補正色信号としてのＲｈ、Ｇｈ、Ｂｈ（白補正ＲＧＢデータ群）を、補正色値であるＬａｂ色空間中における色値（Ｌ＊ｈ、ａ＊ｈ、ｂ＊ｈ（白補正Ｌａｂデータ群））に変換する（ステップ８１１）。
【００７２】
次に変換関係作成部２１９は、色値変換部２１８により求められた補正色値に基づき、表示装置１２にて色温度で画像を表示させるときに用いられる色変換テーブルとして多次元ＬＵＴを作成する（ステップ８１２）。
さらに変換関係作成部２１９は、作成されたＲｈ、Ｇｈ、Ｂｈ（白補正ＲＧＢデータ群）を、出力色信号として出力する（ステップ８１３）。この出力色信号は、色処理装置１３の色変換テーブル記憶部１３２に格納される色変換テーブルである多次元ＬＵＴの各格子点データとして格納される。
【００７３】
［第２の実施の形態］
設定用ＰＣの機能構成として次に、第２の実施の形態について説明する。
第２の実施の形態においても図４〜図９に示した構成は同様である。即ち、第２の実施の形態においても、図４に示すように設定用ＰＣ２１は、色信号取得部２１１と、色信号出力部２１２と、色データ取得部２１３と、色温度情報取得部２１４と、第１の対応関係導出部２１５と、補正色信号導出部２１６と、第２の対応関係導出部２１７と、色値変換部２１８と、変換関係作成部２１９とを備える。
また第２の実施の形態においても、図５に示すようなデータが使用または生成され、その具体例は、図６に示すものとなり、補正色信号導出部２１６では、図７に示すような１次元ＬＵＴが作成される。
さらに第２の実施の形態においても、設定用ＰＣ２１の動作は、図９で説明したものとなる。
【００７４】
一方、第２の実施の形態では、変換関係作成部２１９において多次元ＬＵＴを作成する手順が一部異なる。即ち、上述した（１）〜（２）の処理が以下のようになる。
（１’）まずＲｉｎ、Ｇｉｎ、Ｂｉｎ（ＲＧＢデータ群）を公知の数式（例えば、ｓＲＧＢ色空間をＬａｂ色空間に変換する数式）によりＬａｂ色空間における色値に変換する。この色値の組よりなるデータ群を仮にｓＬａｂデータ群とする。ここまでは第１の実施の形態と同様である。
（２’）次にｓＬａｂデータ群と白補正Ｌａｂデータ群とを比較し、さらにＲＧＢデータ群と比較することでｓＬａｂデータ群を構成する色値の組をＲＧＢデータ群の組とする。即ち、ｓＬａｂデータ群→白補正Ｌａｂデータ群→ＲＧＢデータ群の変換を行う。この場合、ｓＬａｂデータ群を構成する各組の数値と、図６の第５列の白補正Ｌａｂデータ群の数値とを比較し、さらに図６の第１列のＲＧＢデータ群の数値とを比較していく。実際には、数値が合う箇所は少ないため、数値を算出するのに、例えば、線形回帰モデルや、高次多項式近似モデル、ニューロモデル等の公知の方法を使用する。
【００７５】
図１０（ａ）〜（ｂ）は、第１の実施の形態と第２の実施の形態で、多次元ＬＵＴを作成するのに用いられるデータ群と、色処理装置１３において多次元ＬＵＴを用いて入力画像データを出力画像データに変換する方法について説明した図である。
このうち図１０（ａ）は、第１の実施の形態によるものである。ここでは、設定用ＰＣ２１で多次元ＬＵＴを作成するのに上記（１）〜（２）で説明したように白補正ＲＧＢデータ群と白補正Ｌａｂデータ群とを使用する。これは、変換関係作成部２１９は、白補正Ｌａｂデータ群に加え補正色信号導出部２１６により求められた白補正ＲＧＢデータ群に基づき、多次元ＬＵＴを作成すると言うこともできる。
さらに作成された多次元ＬＵＴを用いることで、色処理装置１３の出力画像データ作成部１３１では、入力画像データを出力画像データに直接変換できる。
【００７６】
一方、図１０（ｂ）は、第２の実施の形態によるものである。ここでは、設定用ＰＣ２１で多次元ＬＵＴを作成するのに上記（１’）〜（２’）で説明したようにＲＧＢデータ群と白補正Ｌａｂデータ群とを使用する。
さらに作成された多次元ＬＵＴを用いた場合、変換後の階調は、最大値が２５５となるため、実際の表示装置１２で色温度変更後の画像を表示するには、例えば、図７で説明したような白補正ＲＧＢＬＵＴを使用し、例えば、（Ｒ、Ｇ、Ｂ）＝（１７０、１５９、１４３）を最大値とするＲＧＢ値にさらに変換する必要がある。そしてこの２回の変換後のデータが、出力画像データとなる。
よって色処理装置１３の出力画像データ作成部１３１では、入力画像データを作成された多次元ＬＵＴで変換するとともに、白補正ＲＧＢＬＵＴによりさらに変換を行い、出力画像データに変換する。
【００７７】
以上のように本実施の形態では、表示装置１２で表示する画像の色温度の変更を行う際に色処理装置１３の色変換テーブル記憶部１３２に格納される色変換テーブルの変更を行う。そしてこの色変換テーブルとして用いられる多次元ＬＵＴは、表示装置１２のデバイス特性を反映したものとなる。よって表示装置１２が非線形なデバイス特性を有するものであったとしても、この非線形性を取り込んだ形で多次元ＬＵＴが作成される。よって表示装置１２で表示する画像の色温度の変更を変更しても階調数が減少する等の階調表現の変化が生じにくく、より精度の高い色調整を行うことができる。これが従来技術の場合、表示装置１２が非線形なデバイス特性を有するときには、特に階調表現が変化しやすく、より精度の高い色調整を行うことが困難となる。
【００７８】
また本実施の形態では、測色器２２に測色用画像としてのＲｉｎ、Ｇｉｎ、Ｂｉｎ（ＲＧＢデータ群）を出力し、測色器２２による測色用画像を測定して色データとしてＸ、Ｙ、Ｚ（ＸＹＺデータ群）を取得した後は、色温度情報を取得すれば、色変換テーブルが作成できる。つまり色データとしてＸ、Ｙ、Ｚ（ＸＹＺデータ群）を１回取得すれば、表示装置１２で表示する画像の色温度をその後再び変更しても、測色器２２を使用した測色用画像の測定を再び行わずに、色温度変更後の色変換テーブルが作成できる。
【００７９】
［第３の実施の形態］
設定用ＰＣの機能構成として次に、第３の実施の形態について説明する。
図１１は、本実施の形態の設定用ＰＣ２１についての機能構成例を説明した図である。また図１２は、図１１で使用または生成されるデータについて説明した図である。
【００８０】
図１１に示した設定用ＰＣ２１は、色信号取得部２１１と、色信号出力部２１２と、色データ取得部２１３と、色温度情報取得部２１４と、第１の対応関係導出部２１５と、補正色信号導出部２１６と、変換関係作成部２１９とを備える。ここで色信号取得部２１１、色信号出力部２１２、色データ取得部２１３、色温度情報取得部２１４、第１の対応関係導出部２１５の動作は、図４で説明した場合と同様である。
【００８１】
本実施の形態では、図４に示した設定用ＰＣ２１に比較して、第２の対応関係導出部２１７および色値変換部２１８がない。また図１２を図５と比較すると、白補正ＲＧＢＬＵＴ Ｄ４の作成までが行われる。即ち、本実施の形態では、補正色信号導出部２１６は、色温度情報取得部２１４で取得された色温度におけるＸ、Ｙ、Ｚの各値（Ｘｓ、Ｙｓ、Ｚｓ）を設定する。そしてＸ、Ｙ、Ｚの各値（Ｘｓ、Ｙｓ、Ｚｓ）を基に白補正ＲＧＢ値（Ｒｓ、Ｇｓ、Ｂｓ）作成する。さらに変換関係作成部２１９が、補正ＲＧＢ値（Ｒｓ、Ｇｓ、Ｂｓ）から白補正ＲＧＢＬＵＴ Ｄ４を作成する。そしてこの白補正ＲＧＢＬＵＴ Ｄ４が、色処理装置１３の色変換テーブル記憶部１３２に格納される色変換テーブルとなる。なお白補正ＲＧＢＬＵＴ Ｄ４は、図７に示したものと同様となる。
【００８２】
本実施の形態における白補正ＲＧＢＬＵＴ Ｄ４を色処理装置１３の色変換テーブル記憶部１３２に格納される色変換テーブル使用しても、表示装置１２のデバイス特性を反映したものとなるため、色温度変更後においても表示装置１２の階調表現の変化が生じにくい。ただし上述した第１の実施の形態および第２の実施の形態で説明した多次元ＬＵＴを使用した方が、色調整の精度はより良好となる。
【００８３】
＜色調整システムの説明＞
また第１の実施の形態および第２の実施の形態で、上述した色処理装置１３および設定用ＰＣ２１は、表示装置１２にて画像を表示するために作成された入力画像データを、予め定められた色変換テーブルを用いて色変換処理を行い表示装置１２に出力する色処理装置１３と、色処理装置１３で用いられる色変換テーブルを、表示装置１２にて表示する画像の色調整を行うために作成する設定用ＰＣ２１と、を備え、設定用ＰＣ２１は、表示装置１２の色調整を行うために使用する入力色信号（Ｒｉｎ、Ｇｉｎ、Ｂｉｎ）を取得する色信号取得部２１１と、表示装置１２に向けて入力色信号（Ｒｉｎ、Ｇｉｎ、Ｂｉｎ）を出力したときに、表示装置１２で表示される画像の色データ（Ｘ、Ｙ、Ｚ）を取得する色データ取得部２１３と、表示装置１２で画像の表示に使用する色温度の情報を取得する色温度情報取得部２１４と、色信号取得部２１１により取得された入力色信号（Ｒｉｎ、Ｇｉｎ、Ｂｉｎ）と色データ取得部２１３により取得された色データ（Ｘ、Ｙ、Ｚ）との対応関係である第１の対応関係を求める第１の対応関係導出部２１５と、第１の対応関係導出部２１５により求められた第１の対応関係から、色温度情報取得部２１４により取得された色温度で表示装置１２にて画像を表示したときに採る色信号である補正色信号（Ｒｈ、Ｇｈ、Ｂｈ）を求める補正色信号導出部２１６と、補正色信号導出部２１６により求められた補正色信号（Ｒｈ、Ｇｈ、Ｂｈ）を予め定められた均等色空間中における色値に変換し補正色値（Ｌ＊ｈ、ａ＊ｈ、ｂ＊ｈ等）を求める色値変換部２１８と、色値変換部２１８により求められた補正色値（Ｌ＊ｈ、ａ＊ｈ、ｂ＊ｈ等）に基づき、取得された色温度で表示装置１２にて表示する画像の色の色変換テーブルを作成する変換関係作成部２１９と、を備えることを特徴とする色調整システムとして捉えることもできる。
【００８４】
また第３の実施の形態で、上述した色処理装置１３および設定用ＰＣ２１は、表示装置１２にて画像を表示するために作成された入力画像データを、予め定められた色変換テーブルを用いて色変換処理を行い表示装置１２に出力する色処理装置１３と、色処理装置１３で用いられる色変換テーブルを、表示装置１２にて表示する画像の色調整を行うために作成する設定用ＰＣ２１と、を備え、設定用ＰＣ２１は、表示装置１２の色調整を行うために使用する入力色信号（Ｒｉｎ、Ｇｉｎ、Ｂｉｎ）を取得する色信号取得部２１１と、表示装置１２に向けて入力色信号（Ｒｉｎ、Ｇｉｎ、Ｂｉｎ）を出力したときに、表示装置１２で表示される画像の色データ（Ｘ、Ｙ、Ｚ）を取得する色データ取得部２１３と、表示装置１２で画像の表示に使用する色温度の情報を取得する色温度情報取得部２１４と、色信号取得部２１１により取得された入力色信号（Ｒｉｎ、Ｇｉｎ、Ｂｉｎ）と色データ取得部２１３により取得された色データ（Ｘ、Ｙ、Ｚ）との対応関係である第１の対応関係を求める第１の対応関係導出部２１５と、取得された色温度におけるＸ、Ｙ、Ｚの各値（Ｘｓ、Ｙｓ、Ｚｓ）を設定し、設定されたＸ、Ｙ、Ｚの各値（Ｘｓ、Ｙｓ、Ｚｓ）を第１の対応関係によりこの色温度における色信号（Ｒｓ、Ｇｓ、Ｂｓ）に変換する補正色信号導出部２１６と、補正色信号導出部２１６により求められたこの色温度における色信号Ｒｓ、Ｇｓ、Ｂｓ）を基にして、この色温度で表示装置１２にて表示する画像の色の色変換テーブルを作成する変換関係作成部２１９と、を備えることを特徴とする色調整システムとして捉えることもできる。
【００８５】
なお、本実施の形態の画像表示システム１０では、表示用ＰＣ１１と表示装置１２との間に、これら表示用ＰＣ１１と表示装置１２とは別体にて色処理装置１３を配置するようにしていたが、これに限られるものではない。例えば、色処理装置１３の機能を、表示用ＰＣ１１に内蔵させてもかまわないし、表示装置１２に内蔵させてもかまわない。
【００８６】
また本実施の形態では、設定用ＰＣ２１は、表示用ＰＣ１１とは別体となっていたが、表示用ＰＣ１１に設定用ＰＣ２１の機能を備えることも可能である。この場合、表示用ＰＣ１１が、画像処理装置（変換関係変更手段）として機能する。
【００８７】
＜プログラムの説明＞
ここで以上説明を行った本実施の形態における設定用ＰＣ２１が行なう処理は、上述した通り、例えば、アプリケーションソフトウェア等のプログラムとして用意される。
【００８８】
よって第１の実施の形態および第２の実施の形態で、設定用ＰＣ２１が行なう処理は、コンピュータに、表示装置１２の色調整を行うために使用する入力色信号（Ｒｉｎ、Ｇｉｎ、Ｂｉｎ）を取得する機能と、表示装置１２に向けて入力色信号（Ｒｉｎ、Ｇｉｎ、Ｂｉｎ）を出力したときに、表示装置１２で表示される画像の色データ（Ｘ、Ｙ、Ｚ）を取得する機能と、表示装置１２で画像の表示に使用する色温度の情報を取得する機能と、取得された入力色信号（Ｒｉｎ、Ｇｉｎ、Ｂｉｎ）と取得された色データ（Ｘ、Ｙ、Ｚ）との対応関係である第１の対応関係を求める機能と、求められた第１の対応関係から、取得された色温度で表示装置１２にて画像を表示したときに採る色信号である補正色信号（Ｒｈ、Ｇｈ、Ｂｈ）を求める機能と、補正色信号（Ｒｈ、Ｇｈ、Ｂｈ）を色信号を構成する色空間とは異なる色空間中における色値に変換し補正色値（Ｌ＊ｈ、ａ＊ｈ、ｂ＊ｈ等）を求める機能と、求められた補正色値（Ｌ＊ｈ、ａ＊ｈ、ｂ＊ｈ等）に基づき、取得された色温度で表示装置１２にて表示する画像の色の色変換テーブルを作成する機能と、を実現させるプログラムとして捉えることもできる。
【００８９】
また第３の実施の形態で、設定用ＰＣ２１が行なう処理は、コンピュータに、表示装置１２の色調整を行うために使用する入力色信号（Ｒｉｎ、Ｇｉｎ、Ｂｉｎ）を取得する機能と、表示装置１２に向けて入力色信号（Ｒｉｎ、Ｇｉｎ、Ｂｉｎ）を出力したときに、表示装置１２で表示される画像の色データ（Ｘ、Ｙ、Ｚ）を取得する機能と、表示装置１２で画像の表示に使用する色温度の情報を取得する機能と、取得された入力色信号（Ｒｉｎ、Ｇｉｎ、Ｂｉｎ）と取得された色データ（Ｘ、Ｙ、Ｚ）との対応関係である第１の対応関係を求める機能と、取得された色温度におけるＸ、Ｙ、Ｚの各値（Ｘｓ、Ｙｓ、Ｚｓ）を設定し、設定されたＸ、Ｙ、Ｚの各値（Ｘｓ、Ｙｓ、Ｚｓ）を第１の対応関係によりこの色温度における色信号（Ｒｓ、Ｇｓ、Ｂｓ）に変換する機能と、求められたこの色温度における色信号（Ｒｓ、Ｇｓ、Ｂｓ）を基にして、この色温度で表示装置１２にて表示する画像の色の色変換テーブルを作成する機能と、を実現させるプログラムとして捉えることもできる。
【００９０】
なお、本実施の形態を実現するプログラムは、通信手段により提供することはもちろん、ＣＤ−ＲＯＭ等の記録媒体に格納して提供することも可能である。
【００９１】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００９２】
１０…画像表示システム、１１…表示用ＰＣ、１２…表示装置、１３…色処理装置、２０…色設定システム、２１…設定用ＰＣ、２１１…色信号取得部、２１２…色信号出力部、２１３…色データ取得部、２１４…色温度情報取得部、２１５…第１の対応関係導出部、２１６…補正色信号導出部、２１７…第２の対応関係導出部、２１８…色値変換部、２１９…変換関係作成部、Ｎ…ネットワーク
【図１】
2014150400.tif 000003
【図２】
2014150400.tif 000004
【図３】
2014150400.tif 000005
【図４】
2014150400.tif 000006
【図５】
2014150400.tif 000007
【図６】
2014150400.tif 000008
【図７】
2014150400.tif 000009
【図８】
2014150400.tif 000010
【図９】
2014150400.tif 000011
【図１０】
2014150400.tif 000012
【図１１】
2014150400.tif 000013
【図１２】
2014150400.tif 000014